(57)【要約】【課題】画像編集中のアプリケーション上でなくても、画像編集内容についての判断又は処理などを容易に行うことができる画像処理装置、画像処理方法及び画像処理プログラムを提供する。【解決手段】画像データ、及び画像データに関する情報を含むジョブチケットを受信する受信部と、画像データに応じて表示される画像を編集する第１編集部と、ジョブチケットをオペレータの操作に応じて編集する第２編集部と、画像データと共に、第２編集部が編集したジョブチケットを送信する送信部と、を有し、ジョブチケットは、送信先に依頼する事項の内容を示す依頼情報、及び依頼情報の表示条件を制御する表示制御情報とを含み得る。【選択図】図２
2014085865.tif 000002
【特許請求の範囲】
【請求項１】
画像データ、及び前記画像データに関する情報を含むジョブチケットを受信する受信部と、
前記画像データに応じて表示される画像を編集する第１編集部と、
前記ジョブチケットをオペレータの操作に応じて編集する第２編集部と、
前記画像データと共に、前記第２編集部が編集した前記ジョブチケットを送信する送信部と、
を有し、
前記ジョブチケットは、
送信先に依頼する事項を示す依頼情報、及び前記依頼情報の表示条件を制御する表示制御情報を含み得ること
を特徴とする画像処理装置。
【請求項２】
画像を表示する表示部と、
前記画像データに基づく画像と共に前記依頼情報に基づく画像を前記表示制御情報に応じて前記表示部に表示させる表示処理部と、
をさらに有すること
を特徴とする請求項１に記載の画像処理装置。
【請求項３】
画像データ、及び前記画像データに関する情報を含むジョブチケットを受信する工程と、
前記画像データに応じて表示される画像を編集する工程と、
前記ジョブチケットをオペレータの操作に応じて編集する工程と、
前記画像データと共に、前記第２編集部が編集した前記ジョブチケットを送信する工程と、
を含み、
前記ジョブチケットは、
送信先に依頼する事項を示す依頼情報、及び前記依頼情報の表示条件を制御する表示制御情報を含み得ること
を特徴とする画像処理方法。
【請求項４】
画像データ、及び前記画像データに関する情報を含むジョブチケットを受信するステップと、
前記画像データに応じて表示される画像を編集するステップと、
前記ジョブチケットをオペレータの操作に応じて編集するステップと、
前記画像データと共に、前記第２編集部が編集した前記ジョブチケットを送信するステップと、
をコンピュータに実行させ、
前記ジョブチケットは、
送信先に依頼する事項を示す依頼情報、及び前記依頼情報の表示条件を制御する表示制御情報を含み得ること
を特徴とする画像処理プログラム。
【発明の詳細な説明】
【技術分野】
【０００１】
本発明は、画像処理装置、画像処理方法及び画像処理プログラムに関する。
【背景技術】
【０００２】
従来、スキャナから取り込まれた文書や電子文書などを、コンピュータ上で動作する画像編集アプリケーションによって編集することが行われている。例えばスキャナから取り込まれた文書に対しては、孤立点除去（黒点除去、ノイズ除去）や、スキュー補正などの編集が行われることがある。また、画像編集アプリケーションは、イメージを画面上に表示してオペレータが編集を行うことができるように、プレビューを表示可能にされていることが一般的である。
【０００３】
また、特許文献１には、縮小レイアウト印刷時に、ページ内に印刷される文字が、指定したある一定以下の大きさになる場合は、該当するページについては縮小率の高い縮小レイアウトモードでの印刷を付加する印刷システムが開示されている。
【発明の概要】
【発明が解決しようとする課題】
【０００４】
しかしながら、画像の編集内容についての判断及び処理の少なくともいずれかをオペレータができない場合に、画像編集中のアプリケーション上でなければ、他のオペレータが画像編集内容についての判断又は処理などを行うことが困難であるという問題があった。
【０００５】
本発明は、上記に鑑みてなされたものであって、画像編集中のアプリケーション上でなくても、画像編集内容についての判断又は処理などを容易に行うことができる画像処理装置、画像処理方法及び画像処理プログラムを提供することを目的とする。
【課題を解決するための手段】
【０００６】
上述した課題を解決し、目的を達成するために、本発明は、画像データ、及び前記画像データに関する情報を含むジョブチケットを受信する受信部と、前記画像データに応じて表示される画像を編集する第１編集部と、前記ジョブチケットをオペレータの操作に応じて編集する第２編集部と、前記画像データと共に、前記第２編集部が編集した前記ジョブチケットを送信する送信部と、を有し、前記ジョブチケットは、送信先に依頼する事項の内容を示す依頼情報、及び前記依頼情報の表示条件を制御する表示制御情報とを含み得ることを特徴とする。
【発明の効果】
【０００７】
本発明によれば、画像編集中のアプリケーション上でなくても、画像編集内容についての判断又は処理などを容易に行うことができるという効果を奏する。
【図面の簡単な説明】
【０００８】
【図１】図１は、画像処理システムの概要を例示する構成図である。
【図２】図２は、画像処理装置及びその周辺の機能を例示する機能ブロック図である。
【図３】図３は、画像処理システムにおけるワークフローの一部を概念的に示す概念図である。
【図４】図４は、ジョブチケットに含まれるコメントの構成の第１例を示す図である。
【図５】図５は、文書及びジョブチケットに基づく画像を表示部が表示した状態を例示する図である。
【図６】図６は、ジョブチケットに含まれるコメントの構成の第２例を示す図である。
【図７】図７は、オペレータＡ、Ｂが行う作業の手順例を示すフローチャートである。
【発明を実施するための形態】
【０００９】
以下に添付図面を参照して、画像処理システムの実施の形態を詳細に説明する。図１は、画像処理システム１の概要を例示する構成図である。図１に示すように、画像処理システム１は、例えばｎ台の出力デバイス２−１〜２−ｎ（出力デバイス群）と、ｍ台の画像処理装置３−１〜３−ｍ（ＰＣ群）とがネットワーク４を介して接続されることによって構成される。以下、出力デバイス２−１〜２−ｎなどの複数ある構成部分のいずれかを特定せずに示す場合には、単に「出力デバイス２」などと略記することがある。
【００１０】
出力デバイス２は、例えばプリンタなどの画像形成装置である。画像処理装置３は、例えばＰＣ（Personal  Computer）などにより構成される。画像処理装置３は、ＣＰＵ及びメモリを用いて画像編集アプリケーションプログラム（アプリケーション）を実行する。これにより、オペレータは画像を編集することができる。ネットワーク４は、有線又は無線通信による通信網である。
【００１１】
画像処理装置３それぞれは、ネットワーク４を介して画像データ（文書）及びジョブチケットを互いに送受信することができる。つまり、画像処理システム１は、ジョブチケットを用いた画像に関する各工程のワークフローを実現できる。ジョブチケットは、例えばＣＩＰ４（The  International  Cooperation  for  the  Integration  of  Processes  in  Prepress,  Press  and  Postpress  Organization）会員が作成するＪＤＦ（ジョブデフィニションフォーマット）が使用される。
【００１２】
次に、画像処理装置３が有する機能について説明する。図２は、画像処理装置３及びその周辺の機能を例示する機能ブロック図である。図２に示すように、例えば画像処理装置３−２は、入力部３０、表示部３２及び画像編集アプリケーション３４を備える。入力部３０は、例えばキーボードやマウスなどである。表示部３２は、画像を表示する例えばディスプレイ装置である。画像編集アプリケーション３４は、例えば画像受信部３４０、画像編集部３４２、ジョブチケット編集部３４４、画像送信部３４６及び表示処理部３４８を有する画像処理プログラムである。なお、画像処理装置３−３なども、画像処理装置３−２と同様に入力部３０、表示部３２及び画像編集アプリケーション３４を備える。
【００１３】
画像受信部３４０は、ネットワーク４（図１参照）を介して文書（画像データ）５及びジョブチケット６を受信する。また、画像受信部３４０は、受信した文書５及びジョブチケット６を画像編集部（第１編集部）３４２、ジョブチケット編集部（第２編集部）３４４及び表示処理部３４８に対して出力する。
【００１４】
画像編集部３４２は、例えば孤立点除去部３５０、スキュー補正部３５２、イメージ編集部３５４、構成部３５６及び面付け部３５８などを具備し、画像受信部３４０から受入れた画像データをオペレータの操作に応じて編集する。
【００１５】
孤立点除去部３５０は、例えばスキャナなどで読取られた画像に生じた孤立点（図３参照）を除去する処理を行う。スキュー補正部３５２は、例えばスキャナなどで画像が読取られる際に生じたスキューを補正する処理を行う。イメージ編集部３５４は、オペレータの操作に応じて画像データを編集することにより、画像データに応じて出力されるイメージ（画像）を編集する。構成部３５６は、オペレータの操作に応じて画像データを編集することにより、出力されるイメージの構成を編集する。面付け部３５８は、オペレータの操作に応じて画像データを編集することにより、出力されるイメージのページに対する面付けを編集する。
【００１６】
そして、画像編集部３４２は、画像データの編集結果を画像送信部３４６及び表示処理部３４８に対して出力する。ジョブチケット編集部３４４は、画像受信部３４０から受入れたジョブチケット６をオペレータの操作に応じて編集し、画像送信部３４６及び表示処理部３４８に対して出力する。例えば、ジョブチケット編集部３４４は、ジョブチケット６におけるコメント（図４等を用いて後述）の付加又はコメントの内容の編集を行う。また、ジョブチケット編集部３４４は、例えば画像編集部３４２に含まれてもよいし、画像編集部３４２における画像の編集結果を後述するコメントに反映させて取り込むように構成されてもよい。
【００１７】
画像送信部３４６は、依頼内容送信部３６０を含み、ネットワーク４（図１参照）を介してデータを送信する。例えば、画像送信部３４６は、オペレータの操作に応じて文書（画像データ）５を出力デバイス２−１に対して送信する。依頼内容送信部３６０は、オペレータの操作に応じて、画像編集部３４２から受入れた文書（画像データ）５と、ジョブチケット編集部３４４から受入れたジョブチケット６とを、例えば画像処理装置３−３などにネットワーク４を介して送信する。なお、ジョブチケット編集部３４４から受入れたジョブチケット６にコメントが含まれている場合、依頼内容送信部３６０が送信するジョブチケット６にはコメント６０が含まれる。コメント６０は、文書５に対する処理の依頼内容、又は監査結果などを含み得るものとする。
【００１８】
具体例として、画像処理装置３−２は、画像の編集作業に不慣れなオペレータが操作しているものとする。また、画像処理装置３−３は、画像の編集作業について熟練したオペレータが操作しているものとする。ここで、画像処理装置３−２は、画像処理装置３−３に対して文書５及びジョブチケット６を送信するだけでなく、画像処理装置３−３から文書５及びジョブチケット６を受信することもできる。
【００１９】
表示処理部３４８は、画像受信部３４０から文書５及びジョブチケット６を受入れ、文書５に対応する画像と共に、ジョブチケット６に基づく画像を表示部３２が表示するように、ジョブチケット６に応じて表示データを処理する。また、表示処理部３４８は、画像編集部３４２が編集した文書５を受入れると、編集された文書５に対応する画像を表示部３２が表示するように表示データを処理する。また、表示処理部３４８は、ジョブチケット編集部３４４が編集したジョブチケット６を受入れると、編集されたジョブチケット６に基づく画像を表示部３２が表示するように表示データを処理する。
【００２０】
そして、表示部３２は、表示処理部３４８が処理した表示データを受入れて、文書５に対応する画像と共に、ジョブチケット６に基づく画像を表示する。
【００２１】
次に、画像処理システム１におけるワークフローについて、図３〜図６を用いて説明する。図３は、画像処理システム１におけるワークフローの一部を概念的に示す概念図である。図４は、ジョブチケット６に含まれるコメント６０の構成の第１例を示す図である。図５は、文書５及びジョブチケット６に基づく画像を表示部３２が表示した状態を例示する図である。図６は、ジョブチケット６に含まれるコメント６０の構成の第２例を示す図である。なお、図３において、オペレータＡは、画像の編集に不慣れなオペレータであり、画像処理装置３−２を操作しているものとする。また、オペレータＢは、画像の編集について熟練したオペレータであり、画像処理装置３−３を操作しているものとする。
【００２２】
オペレータＡは、文書５及びジョブチケット６を受信する（図３（ａ）→（ｂ））。オペレータＡが受信した文書５に孤立点が含まれている場合、画像処理装置３−２の表示部３２には、孤立点を含む画像５００が表示される。
【００２３】
オペレータＡは、画像５００に含まれる孤立点を削除してよいか否か（編集内容）を判断できない場合、孤立点に対する判断及び処理をオペレータＢに依頼するために、画像編集アプリケーション３４によってジョブチケット６にコメント６０を付加する編集を行う。
【００２４】
コメント６０は、図４に示すようにジョブチケット６に含まれ、例えば依頼概要６００、依頼詳細６０２、座標６０４及び倍率６０６を有する。依頼概要６００は、ジョブチケット６の送信先に依頼する判断及び処理（事項）の内容を示す依頼情報の概要をそれぞれ示す。依頼詳細６０２は、ジョブチケット６の送信先に依頼する判断及び処理の内容を示す依頼情報の詳細をそれぞれ示す。座標６０４は、依頼詳細６０２が示す依頼情報の対象となる画像上の位置を、画像上の座標で示すものである。倍率６０６は、座標６０４に示された位置の周辺領域について、文書５に応じて表示される画像に対する表示の倍率を示すものである。つまり、座標６０４及び倍率６０６は、依頼情報の表示条件を制御する表示制御情報となっている。なお、表示制御情報は、依頼情報の表示条件を制御するものであればよく、座標６０４及び倍率６０６などに限定されない。
【００２５】
オペレータＡがコメント６０を付加する編集を行うと、画像処理装置３−２の表示部３２には、図５に示した画面が表示される。表示部３２が表示する画面には、文書５に応じて表示される画像５００と、ジョブチケット６に応じて表示される依頼対象画像５０２、コメント一覧５０４及びコメント欄５０６とが含まれる。
【００２６】
依頼対象画像５０２は、座標６０４に示された位置の周辺領域を、倍率６０６に示された倍率で依頼情報ごとに表示する画像である。コメント一覧５０４は、ジョブチケット６に含まれる依頼情報を個別に一覧表示する画像である。コメント欄５０６は、コメント一覧５０４の中から選択された依頼情報の依頼詳細６０２を表示する画像である。
【００２７】
ジョブチケット６の編集が終わると、オペレータＡは、文書５と編集済みのジョブチケット６とを送信し、オペレータＢは、文書５と編集済みのジョブチケット６とを受信する（図３（ｂ）→（ｃ））。
【００２８】
オペレータＢが文書５と編集済みのジョブチケット６とを受信すると、画像処理装置３−３の表示部３２には、文書５及びジョブチケット６に応じて、画像処理装置３−２の表示部３２に表示されていた画面と同一の画面が表示される。例えば、図５に示すように、１番目のコメントが選択されている場合、表示部３２には、画像５００と共に、画像５００の座標（５５０，３０）の周辺の領域が４００倍の倍率で表示される。また、コメント欄５０６には、「孤立点を削除してよければ、削除してください。」というメッセージが表示される。
【００２９】
オペレータＢは、依頼対象画像５０２などを参照し、ジョブチケット６が示す依頼情報に対し、判断及び処理を行う。具体的には、オペレータＢは、画像５００に含まれる孤立点が不要であることを判断し、画像編集アプリケーション３４の孤立点除去部３５０により画像５００の孤立点を削除する処理を行う。
【００３０】
そして、オペレータＢは、孤立点を削除した文書５と、孤立点を削除したことに対応する１つ以上の監査６２を含むジョブチケット６とを、次工程を行う画像処理装置３又は出力デバイス２に対して送信する（図３（ｃ）→（ｄ））。監査６２は、例えば図６に示すように、コメント６０に含まれる処理概要６１０、処理詳細６１２及び座標６１４などによって構成される。つまり、ジョブチケット６は、処理された依頼情報の依頼概要６００、依頼詳細６０２、座標６０４及び倍率６０６が、処理概要６１０、処理詳細６１２及び座標６１４の監査情報に差し替えられる。
【００３１】
次に、オペレータＡが画像処理装置３−２を操作して行う作業と、オペレータＢが画像処理装置３−３を操作して行う作業の手順について説明する。図７は、オペレータＡ、Ｂが行う作業の手順例を示すフローチャートである。なお、オペレータＡ、Ｂが操作する画像処理装置３−２，３−３（オペレータＡ環境、オペレータＢ環境）は、文書５及びジョブチケット６に応じて上述した動作を行うものとする。
【００３２】
図７に示すように、ステップ１００（Ｓ１００）において、オペレータＡは、文書５及びジョブチケット６を受信する。
【００３３】
ステップ１０２（Ｓ１０２）において、オペレータＡは、Ｓ１００の処理で受信した文書５の編集中に、文書５に含まれる画像に対する編集内容について判断可能であるか否かを判定する。オペレータＡは、判断可能である場合（Ｓ１０２：Ｙｅｓ）には、Ｓ１０４の処理に進む。また、オペレータＡは、判断可能でない場合（Ｓ１０２：Ｎｏ）には、Ｓ１０８の処理に進む。
【００３４】
ステップ１０４（Ｓ１０４）において、オペレータＡは、画像編集アプリケーション３４によって文書５を編集（オペレータＡが本来行うべき文書編集）する。
【００３５】
ステップ１０６（Ｓ１０６）において、オペレータＡは、編集した文書５を、次工程を行う出力デバイス２又は画像処理装置３に対して送信する。
【００３６】
ステップ１０８（Ｓ１０８）において、オペレータＡは、文書５に含まれる画像に対する編集内容について、判断及び処理を依頼するためにコメント６０をジョブチケット６に付加する。
【００３７】
ステップ１１０（Ｓ１１０）において、オペレータＡは、文書５と、コメント６０を付加したジョブチケット６とを依頼先となるオペレータＢへ送信する（依頼内容送信）。
【００３８】
ステップ１１２（Ｓ１１２）において、オペレータＢは、文書５及びジョブチケット６を受信する。
【００３９】
ステップ１１４（Ｓ１１４）において、オペレータＢは、ジョブチケット６にコメント６０が有るか否かを判定する。オペレータＢは、ジョブチケット６にコメント６０が有ると判定した場合（Ｓ１１４：Ｙｅｓ）には、Ｓ１１６の処理に進む。また、オペレータＢは、ジョブチケット６にコメント６０がないと判定した場合（Ｓ１１４：Ｎｏ）には、Ｓ１２２の処理に進む。
【００４０】
ステップ１１６（Ｓ１１６）において、オペレータＢは、文書５及びジョブチケット６に基づく画像を表示部３２に表示させる。つまり、オペレータＢは、文書５及びジョブチケット６に基づいて、オペレータＡ環境と同一条件で編集対象を含む画像を表示部３２に表示させる。
【００４１】
ステップ１１８（Ｓ１１８）において、オペレータＢは、ジョブチケット６に基づいて示される依頼内容（例えばオペレータＡが本来行うべき文書編集）を文書５に対して実施する。
【００４２】
ステップ１２０（Ｓ１２０）において、オペレータＢは、監査情報（監査６２）をジョブチケット６に付加する。
【００４３】
ステップ１２２（Ｓ１２２）において、オペレータＢは、オペレータＢが本来行うべき文書編集を行う。
【００４４】
ステップ１２４（Ｓ１２４）において、オペレータＢは、編集した文書５を、次工程を行う出力デバイス２又は画像処理装置３に対して送信する。
【００４５】
このように、画像処理システム１は、ジョブチケット６によって依頼情報、及び依頼情報の表示条件を制御する表示制御情報を送信可能にされているので、画像編集中のアプリケーション上でなくても、画像編集内容についての判断又は処理などを容易に行うことができる。
【００４６】
また、本実施形態の画像処理装置３で実行される画像編集アプリケーション３４は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disc）等のコンピュータで読取り可能な記録媒体に記録されてコンピュータ・プログラム・プロダクトとして提供される。
【００４７】
また、本実施形態の画像処理装置３で実行される画像編集アプリケーション３４を、インターネット等のネットワークに接続されたコンピュータ上に格納し、ネットワーク経由でダウンロードさせることにより提供するように構成してもよい。
【００４８】
本実施形態の画像処理装置３で実行される画像編集アプリケーション３４は、上述した各部（画像受信部３４０、画像編集部３４２、ジョブチケット編集部３４４、画像送信部３４６及び表示処理部３４８）を含むモジュール構成となっていてもよい。
【符号の説明】
【００４９】
１  画像処理システム
２−１〜２−ｎ  出力デバイス
３−１〜３−ｍ  画像処理装置
３０  入力部
３２  表示部
３４  画像編集アプリケーション
３４０  画像受信部
３４２  画像編集部
３４４  ジョブチケット編集部
３４６  画像送信部
３４８  表示処理部
３６０  依頼内容送信部
４  ネットワーク
５  文書
５００  画像
５０２  依頼対象画像
５０４  コメント一覧
５０６  コメント欄
６  ジョブチケット
６０  コメント
６００  依頼概要
６０２  依頼詳細
６０４  座標
６０６  倍率
６１０  処理概要
６１２  処理詳細
６１４  座標
【先行技術文献】
【特許文献】
【００５０】
【特許文献１】特開２００４−１９２２３９号公報
【図１】
2014085865.tif 000003
【図２】
2014085865.tif 000004
【図３】
2014085865.tif 000005
【図４】
2014085865.tif 000006
【図５】
2014085865.tif 000007
【図６】
2014085865.tif 000008
【図７】
2014085865.tif 000009